(57)【要約】【課題】付箋に対する操作の履歴を用いて、会合における局面を提示するようにした情報処理装置を提供する。【解決手段】情報処理装置の抽出手段は、台紙に貼り付けられる付箋に対する操作の履歴を抽出し、提示手段は、前記操作の履歴が予め定められた条件を満たす場合は、該条件に対応する、会合における局面であることを示す提示を行う。【選択図】図１
2017146867.tif 000002
【特許請求の範囲】
【請求項１】
台紙に貼り付けられる付箋に対する操作の履歴を抽出する抽出手段と、
前記操作の履歴が予め定められた条件を満たす場合は、該条件に対応する、会合における局面であることを示す提示を行う提示手段
を有する情報処理装置。
【請求項２】
前記予め定められた条件として、予め定められた期間における付箋の追加枚数が予め定められた閾値より多い又は以上である場合は、第１の局面であるとする、
請求項１記載の情報処理装置。
【請求項３】
前記予め定められた条件として、移動操作数に対して、付箋貼付時から予め定められた期間内の移動操作数の比率が予め定められた閾値より多い又は以上である場合は、第１の局面であるとする、
請求項１記載の情報処理装置。
【請求項４】
前記予め定められた条件として、第１局面であり、付箋の移動距離が予め定められた閾値より多い又は以上である場合は、第１局面とともに第２局面でもあるとする、
請求項１記載の情報処理装置。
【請求項５】
前記予め定められた条件として、個人端末における未送信の付箋数が予め定められた閾値より少ない又は以下である場合は、第１局面の終了であるとする、
請求項１記載の情報処理装置。
【請求項６】
前記予め定められた条件として、予め定められた期間内の付箋の貼付枚数が予め定められた閾値より少ない又は以下であり、該貼付枚数に対しての付箋の移動回数の比率が予め定められた閾値より多い又は以上である場合は、第２局面への移行であるとする、
請求項１記載の情報処理装置。
【請求項７】
前記予め定められた条件として、投票が始まった場合は、第２局面であるとする、
請求項１記載の情報処理装置。
【請求項８】
前記閾値を、前記会合に参加している人数、又は、前記会合が途中開催であるか否かにしたがって変更する閾値変更手段
をさらに有する、請求項２から７のいずれか一項に記載の情報処理装置。
【請求項９】
コンピュータを、
台紙に貼り付けられる付箋に対する操作の履歴を抽出する抽出手段と、
前記操作の履歴が予め定められた条件を満たす場合は、該条件に対応する、会合における局面であることを示す提示を行う提示手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、付箋を台紙に貼り付ける操作が行われた後に、その操作の履歴を提示するようにした情報処理装置を提供することを課題とし、情報処理装置の記憶手段は、台紙に貼り付け得る付箋に対して行われた操作の履歴に関する情報を記憶し、提示手段は、前記記憶手段に記憶されている履歴を時系列で提示することが開示されている。
【先行技術文献】
【特許文献】
【０００３】
【特許文献１】特開２０１５−１３５５９６号公報
【発明の概要】
【発明が解決しようとする課題】
【０００４】
特許文献１に記載の技術では、電子付箋（電子カード等ともいわれる。以下、単に付箋という）に対する操作の履歴を提示することが行われている。
ところで、付箋を用いた会合においては局面がある。ファシリテーターにとっては会合の進め方の参考等にするため、又は会合が終了した後においては、その会合の進め方の解析等のために、その局面を知ることは役にたつ。しかし、特許文献１に記載の技術では、会合の局面を知ることはできない。
そこで、本発明は、付箋に対する操作の履歴を用いて、会合における局面を提示するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、台紙に貼り付けられる付箋に対する操作の履歴を抽出する抽出手段と、前記操作の履歴が予め定められた条件を満たす場合は、該条件に対応する、会合における局面であることを示す提示を行う提示手段を有する情報処理装置である。
【０００６】
請求項２の発明は、前記予め定められた条件として、予め定められた期間における付箋の追加枚数が予め定められた閾値より多い又は以上である場合は、第１の局面であるとする、請求項１記載の情報処理装置である。
【０００７】
請求項３の発明は、前記予め定められた条件として、移動操作数に対して、付箋貼付時から予め定められた期間内の移動操作数の比率が予め定められた閾値より多い又は以上である場合は、第１の局面であるとする、請求項１記載の情報処理装置である。
【０００８】
請求項４の発明は、前記予め定められた条件として、第１局面であり、付箋の移動距離が予め定められた閾値より多い又は以上である場合は、第１局面とともに第２局面でもあるとする、請求項１記載の情報処理装置である。
【０００９】
請求項５の発明は、前記予め定められた条件として、個人端末における未送信の付箋数が予め定められた閾値より少ない又は以下である場合は、第１局面の終了であるとする、請求項１記載の情報処理装置である。
【００１０】
請求項６の発明は、前記予め定められた条件として、予め定められた期間内の付箋の貼付枚数が予め定められた閾値より少ない又は以下であり、該貼付枚数に対しての付箋の移動回数の比率が予め定められた閾値より多い又は以上である場合は、第２局面への移行であるとする、請求項１記載の情報処理装置である。
【００１１】
請求項７の発明は、前記予め定められた条件として、投票が始まった場合は、第２局面であるとする、請求項１記載の情報処理装置である。
【００１２】
請求項８の発明は、前記閾値を、前記会合に参加している人数、又は、前記会合が途中開催であるか否かにしたがって変更する閾値変更手段をさらに有する、請求項２から７のいずれか一項に記載の情報処理装置である。
【００１３】
請求項９の発明は、コンピュータを、台紙に貼り付けられる付箋に対する操作の履歴を抽出する抽出手段と、前記操作の履歴が予め定められた条件を満たす場合は、該条件に対応する、会合における局面であることを示す提示を行う提示手段として機能させるための情報処理プログラムである。
【発明の効果】
【００１４】
請求項１の情報処理装置によれば、付箋に対する操作の履歴を用いて、会合における局面を提示することができる。
【００１５】
請求項２の情報処理装置によれば、予め定められた条件として、予め定められた期間における付箋の追加枚数が予め定められた閾値より多い又は以上である場合は、第１の局面であるとすることができる。
【００１６】
請求項３の情報処理装置によれば、予め定められた条件として、移動操作数に対して、付箋貼付時から予め定められた期間内の移動操作数の比率が予め定められた閾値より多い又は以上である場合は、第１の局面であるとすることができる。
【００１７】
請求項４の情報処理装置によれば、予め定められた条件として、第１局面であり、付箋の移動距離が予め定められた閾値より多い又は以上である場合は、第１局面とともに第２局面でもあるとすることができる。
【００１８】
請求項５の情報処理装置によれば、予め定められた条件として、個人端末における未送信の付箋数が予め定められた閾値より少ない又は以下である場合は、第１局面の終了であるとすることができる。
【００１９】
請求項６の情報処理装置によれば、予め定められた条件として、予め定められた期間内の付箋の貼付枚数が予め定められた閾値より少ない又は以下であり、その貼付枚数に対しての付箋の移動回数の比率が予め定められた閾値より多い又は以上である場合は、第２局面への移行であるとすることができる。
【００２０】
請求項７の情報処理装置によれば、予め定められた条件として、投票が始まった場合は、第２局面であるとすることができる。
【００２１】
請求項８の情報処理装置によれば、閾値を、会合に参加している人数、又は、その会合が途中開催であるか否かにしたがって変更することができる。
【００２２】
請求項９の情報処理プログラムによれば、付箋に対する操作の履歴を用いて、会合における局面を提示することができる。
【図面の簡単な説明】
【００２３】
【図１】本実施の形態の構成例についての概念的なモジュール構成図である。
【図２】本実施の形態を利用したシステム構成例を示す説明図である。
【図３】本実施の形態を利用したシステム構成例を示す説明図である。
【図４】本実施の形態が使用される会議室等の例と、表示装置、個人端末の使用例を示す説明図である。
【図５】付箋情報テーブルのデータ構造例を示す説明図である。
【図６】台紙情報テーブルのデータ構造例を示す説明図である。
【図７】ログテーブルのデータ構造例を示す説明図である。
【図８】条件テーブルのデータ構造例を示す説明図である。
【図９】本実施の形態による処理例を示すフローチャートである。
【図１０】本実施の形態による処理例を示すフローチャートである。
【図１１】本実施の形態による処理例を示すフローチャートである。
【図１２】本実施の形態による処理例を示すフローチャートである。
【図１３】本実施の形態による処理例を示すフローチャートである。
【図１４】本実施の形態による処理例を示すフローチャートである。
【図１５】本実施の形態による処理例を示すフローチャートである。
【図１６】本実施の形態による処理例を示すフローチャートである。
【図１７】本実施の形態を実現するコンピュータのハードウェア構成例を示すブロック図である。
【発明を実施するための形態】
【００２４】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２５】
本実施の形態である情報処理装置１００は、会合において用いられる付箋に関する処理を行うものであって、図１の例に示すように、ログ抽出モジュール１１０、判断条件記憶モジュール１２０、フェーズ判断モジュール１３０、フェーズ処理モジュール１４０を有している。
情報処理装置１００は、具体的には、付箋を用いて、ファシリテーター（一般的には一人）と複数人の参加者によって行われる会合（ワークショップ、会議、アイデア抽出会、検討会等）で利用される。参加者は参加者用端末としての端末装置（後述する個人端末２８０）を用いて、アイデア等が記載された付箋を作成する。一般的に、図４の例に示すように、個人端末２８０として、個人端末２８０Ａ、個人端末２８０Ｂ等（以下、代表して個人端末２８０という）があり、個人端末２８０は複数ある。そして、表示装置２７０は、個人端末２８０から付箋を受け取って、台紙（又は背景）上にその付箋を貼り付ける。ファシリテーターは表示装置２７０の表示装置である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００２６】
この会合においてはいくつかの局面（以下、フェーズともいう）がある。フェーズ毎に求められる機能は異なる。ファシリテーター等にフェーズを指定してもらう方法もあるが、ワークショップに集中しているとシステムの操作は難しい。
ファシリテーターは経験等からワークショップの状況を判断し、問題があれば適切な対応を行うが、個人の経験や能力に依存する。つまり、ファシリテーターにとってはワークショップの進め方の参考等にするため、又は会合が終了した後においては、その会合の進め方の解析等のために、そのフェーズを知ることは役にたつ。また、複数のグループの状況を確認しながら、必要なグループにアドバイスする際も、内容を確認しないとわからない。フェーズが判明すると的確なアドバイスを行いやすくなる。
【００２７】
フェーズとして複数あり、例えば、第１のフェーズ、第１のフェーズの後にある第２のフェーズ等がある。
ここで、第１のフェーズとして、例えば、アイデア出し、発散、共有等がある。「アイデア出し」とは、具体的には、付箋の作成等の段階である。「発散」とは、会議の目標を達成するために、できるだけ多くの情報や意見を出し合うことであり、具体的には、ブレインストーミング等においてイノベーティブなアイデアを抽出するための強制連想法等を活用した段階である。「共有」とは、具体的には、相互理解を図るための段階である。例えば、目的や目標、参加者やスケジュール、議題の与件情報などを確認することが行われる。
第２のフェーズとして、例えば、分析・構造化、収束等がある。「分析・構造化」とは、かみ合わせ、整理する段階である。具体的には、付箋のグループ化が行われる。「収束」とは、出し合った情報や意見（付箋内に記載された内容）を、抜けや漏れがないよう補いながら整理する段階である。また、整理した付箋の中から選び出し、合意を得る段階を含めてもよい。
第１のフェーズ、第２のフェーズを区別することは、ファシリテーターにとっては重要である。２つのフェーズが明確に区別されていないと、アイデアを出しながら（発散）、そのアイデアを検討・評価する（収束）ことになる。その結果、十分な数のアイデアが出る前に会合が終わってしまうことになるからである。斬新な解決策を見出すには、まず「発散」段階で、できるだけ多くのアイデアをしぼり出すことが重要である。
【００２８】
ログ抽出モジュール１１０は、フェーズ判断モジュール１３０と接続されている。ログ抽出モジュール１１０は、台紙に貼り付けられる付箋に対する操作の履歴（一般的には、ログとも言われる）を抽出する。操作の履歴を記憶している記憶装置（例えば、図２の例を用いて後述する操作情報ＤＢ２４５等）から操作の履歴を抽出する。「操作の履歴」として、（１）付箋が台紙に貼り付けられる前の状態における操作、（２）付箋を台紙に貼り付ける操作、（３）付箋が台紙に貼り付けられた後の状態における操作、のいずれか１つ又はこれらの組み合わせを含む。また、「操作の履歴」として、（１）表示装置２７０における操作の履歴、（２）個人端末２８０における操作の履歴、のいずれか１つ又はこれらの組み合わせを含む。
【００２９】
判断条件記憶モジュール１２０は、フェーズ判断モジュール１３０と接続されている。判断条件記憶モジュール１２０は、局面の判断における条件を記憶している。例えば、条件テーブル８００を記憶している。図８は、条件テーブル８００のデータ構造例を示す説明図である。条件テーブル８００は、条件ＩＤ欄８１０、判断条件欄８１５、好適状況欄８２０を有している。
条件ＩＤ欄８１０は、本実施の形態において、条件を一意に識別するための情報（条件ＩＤ）を記憶している。
判断条件欄８１５は、予め定められた判断条件を記憶している。例えば、判断条件として、（１）予め定められた条件として、予め定められた期間における付箋の追加枚数が予め定められた閾値より多い又は以上である場合は、第１の局面であるとすること、（２）移動操作数に対して、付箋貼付時から予め定められた期間内の移動操作数の比率が予め定められた閾値より多い又は以上である場合は、第１の局面であるとすること、（３）第１局面であり、付箋の移動距離が予め定められた閾値より多い又は以上である場合は、第１局面とともに第２局面でもあるとすること、（４）個人端末における未送信の付箋数が予め定められた閾値より少ない又は以下である場合は、第１局面の終了であるとすること、（５）予め定められた期間内の付箋の貼付枚数が予め定められた閾値より少ない又は以下であり、該貼付枚数に対しての付箋の移動回数の比率が予め定められた閾値より多い又は以上である場合は、第２局面への移行であるとすること、（６）投票が始まった場合は、第２局面であるとすること等がある。
好適状況欄８２０は、その判断条件を適用するための好適状況を記憶している。例えば、台紙に貼り付けられている付箋の数が予め定められた数よりも多いこと、会合が開始されて予め定められた時間（例えば、５分等）が経過していること、会合の参加者が予め定められた人数以上であること又は以下であること等がある。好適状況欄８２０の用い方として、好適状況欄８２０内の好適状況を満たしている場合に、判断条件欄８１５内の判断条件を用いて判断するとしてもよい。
【００３０】
フェーズ判断モジュール１３０は、ログ抽出モジュール１１０、判断条件記憶モジュール１２０、フェーズ処理モジュール１４０と接続されている。フェーズ判断モジュール１３０は、ログ抽出モジュール１１０によって抽出された操作の履歴が、判断条件記憶モジュール１２０内の予め定められた条件を満たすか否かを判断する。例えば、前述したように、条件テーブル８００の判断条件欄８１５内の判断条件を用いる。
また、フェーズ判断モジュール１３０は、予め定められた条件内における閾値を、会合に参加している人数、又は、会合が途中開催であるか否かにしたがって変更するようにしてもよい。「会合が途中開催であるか否か」の判断方法については、会合の開始時点での台紙に貼り付けられている付箋の数が、予め定められた数未満又は以下である場合は、新たに開始された会合であると判断し、それ以外の場合（会合の開始時点での台紙に貼り付けられている付箋の数が、予め定められた数以上又はより多い場合）は、前回に継続して開催された会合であるとしてもよい。そして、前回に継続して開催された会合である場合は、第１のフェーズであると判断される可能性を低くするように閾値を設定するようにしてもよい。
【００３１】
フェーズ処理モジュール１４０は、フェーズ提示モジュール１５０、フェーズ対応モジュール１６０を有しており、フェーズ判断モジュール１３０と接続されている。フェーズ提示モジュール１５０は、操作の履歴が予め定められた条件を満たす場合は、その条件に対応する、会合における局面であることを示す提示を行う。具体的には、フェーズ判断モジュール１３０による判断結果を用いて、局面に関する提示を行う。提示する局面として、第１の局面、第２の局面の他に、第１の局面の終了、第２局面への移行等がある。また、フェーズ提示モジュール１５０は、フェーズ判断モジュール１３０による判断結果である局面をＫＰＩ（Ｋｅｙ  Ｐｅｒｆｏｒｍａｎｃｅ  Ｉｎｄｉｃａｔｏｒ、重要業績評価指標）として提示してもよい。提示には、情報処理装置１００に備え付けられている液晶ディスプレイ等の表示装置に表示すること、スピーカー等の音声出力装置から音声を出力すること、プリンタ等の印刷装置で印刷すること、振動装置による振動等がある。
また、フェーズ提示モジュール１５０の提示先として、予め定められた個人端末２８０としてもよい。例えば、ファシリテーターが利用している個人端末２８０に提示してもよい。他の参加者に知られずに、ファシリテーターだけが会合の局面を知ることができるようになる。
【００３２】
フェーズ対応モジュール１６０は、フェーズ判断モジュール１３０による判断結果である局面に応じた処理を行う。例えば、第１の局面が予め定められた期間よりも長い場合、第２の局面への移行を促すようにしてもよい。また、局面に応じて、指示（コマンド）の表示位置、順位を変更するようにしてもよい。例えば、第１の局面である場合は、付箋の作成に関する指示を選択しやすい位置におくようにしてもよいし、指示をリスト状に表示するときは、付箋の作成に関する指示を上位に表示するようにしてもよい。第２の局面である場合は、付箋の移動、グループ化に関する指示を選択しやすい位置におくようにしてもよいし、指示をリスト状に表示するときは、付箋の移動、グループ化に関する指示を上位に表示するようにしてもよい。
また、フェーズ対応モジュール１６０は、局面にしたがって台紙を変更するようにしてもよい。例えば、第１の局面では白紙の台紙を用い、第２の局面では表形式の台紙を用いるようにしてもよい。
【００３３】
図２は、本実施の形態を利用したシステム構成例を示す説明図である。このシステム構成例は、付箋サービス装置２００、表示装置２７０、個人端末２８０を有している。
付箋サービス装置２００は、表示情報構成モジュール２０５、付箋管理モジュール２１０、台紙機能管理モジュール２１５、利用台紙管理モジュール２２０、フェーズ監視モジュール２２５、台紙操作モジュール２３０、付箋作成・操作モジュール２３５、付箋・台紙情報ＤＢ２４０、操作情報ＤＢ２４５を有している。付箋サービス装置２００は、図１の例に示した情報処理装置１００をフェーズ監視モジュール２２５として、付箋サービス装置２００内に組み込んだ形態を示したものである。つまり、フェーズ監視モジュール２２５内には、情報処理装置１００内のモジュール等を含んでいる。
【００３４】
表示情報構成モジュール２０５は、付箋管理モジュール２１０、台紙機能管理モジュール２１５、表示装置２７０の表示モジュール２７２、個人端末２８０の表示モジュール２８２と接続されている。表示情報構成モジュール２０５は、台紙に貼り付けられた付箋等の表示情報（表示画像）を生成し、表示装置２７０又は個人端末２８０の液晶ディスプレイ等の表示装置に表示させる。
付箋管理モジュール２１０は、表示情報構成モジュール２０５、付箋・台紙情報ＤＢ２４０と接続されている。付箋管理モジュール２１０は、個人端末２８０又は表示装置２７０で作成された付箋を管理する。
台紙機能管理モジュール２１５は、表示情報構成モジュール２０５、フェーズ監視モジュール２２５と接続されている。台紙機能管理モジュール２１５は、その会合で用いられている台紙の機能を管理する。例えば、台紙にしたがって付箋を貼り付ける位置を制御する等がある。
利用台紙管理モジュール２２０は、フェーズ監視モジュール２２５、台紙操作モジュール２３０と接続されている。利用台紙管理モジュール２２０は、その会合で利用する台紙を管理する。例えば、表示装置２７０のユーザー（主にファシリテーター）の操作によって選択された台紙を利用する。
フェーズ監視モジュール２２５は、台紙機能管理モジュール２１５、利用台紙管理モジュール２２０、付箋・台紙情報ＤＢ２４０、操作情報ＤＢ２４５と接続されている。フェーズ監視モジュール２２５は、前述した図１の例に示した情報処理装置１００の機能を有している。
【００３５】
台紙操作モジュール２３０は、利用台紙管理モジュール２２０、付箋・台紙情報ＤＢ２４０、操作情報ＤＢ２４５、表示装置２７０の台紙・付箋操作モジュール２７４、個人端末２８０の台紙・付箋操作モジュール２８４と接続されている。台紙操作モジュール２３０は、表示装置２７０又は個人端末２８０におけるユーザーの操作にしたがって、台紙に対する処理を行う。台紙の設定、交換、台紙自身が機能（例えば、前述したように、付箋を貼り付ける位置の制御等）を有している場合は、その機能に応じた処理を行う。
付箋作成・操作モジュール２３５は、付箋・台紙情報ＤＢ２４０、操作情報ＤＢ２４５、表示装置２７０の台紙・付箋操作モジュール２７４、個人端末２８０の台紙・付箋操作モジュール２８４と接続されている。付箋作成・操作モジュール２３５は、表示装置２７０又は個人端末２８０におけるユーザーの操作にしたがって、付箋の作成、付箋の内容の編集、付箋の操作（移動、拡大縮小、表示形態（形状、模様、色彩若しくはこれらの結合又はこれらが動的に変化する（例えば、フラッシュ、アニメーション等）ことを含む。）の変更、グループ化等）等を行う。
【００３６】
付箋・台紙情報ＤＢ２４０は、付箋管理モジュール２１０、フェーズ監視モジュール２２５、台紙操作モジュール２３０、付箋作成・操作モジュール２３５、操作情報ＤＢ２４５と接続されている。付箋・台紙情報ＤＢ２４０は、付箋に関する情報（属性情報を含む）、台紙に関する情報を記憶している。例えば、図５の例に示す付箋情報テーブル５００、図６の例に示す台紙情報テーブル６００を記憶している。
【００３７】
図５は、付箋情報テーブル５００のデータ構造例を示す説明図である。付箋情報テーブル５００は、付箋ＩＤ欄５１０、貼付位置欄５１５、サイズ欄５２０、作成日時欄５２５、作成者欄５３０、貼付日時欄５３５、色欄５４０、枠線形状欄５４５、枠線色欄５５０、枠線太さ欄５５５、所属グループ欄５６０、選択回数欄５６５、接続付箋数欄５７０、接続付箋ＩＤ欄５７５、接続方向欄５８０、内容種別欄５９０、内容欄５９５を有している。付箋ＩＤ欄５１０は、付箋を、本実施の形態において一意に識別するための情報（付箋ＩＤ：ＩＤｅｎｔｉｆｉｃａｔｉｏｎ）を記憶している。貼付位置欄５１５は、その付箋が貼り付けられている位置を記憶している。つまり、台紙上の位置を記憶している。例えば、台紙のＸＹ座標系における座標である。具体的には、付箋作成・操作モジュール２３５の移動処理によって特定された位置である。サイズ欄５２０は、その付箋のサイズを記憶している。例えば、表示する付箋が矩形である場合は、幅と高さを記憶している。作成日時欄５２５は、その付箋が作成された日時（年、月、日、時、分、秒、秒以下、又はこれらの組み合わせであってもよい）を記憶している。作成者欄５３０は、その付箋の作成者（作成者ＩＤ）を記憶している。又は、その付箋が作成された情報処理装置（共有付箋表示装置２７０又は個人端末２８０の機器ＩＤ）を記憶してもよい。貼付日時欄５３５は、その付箋が台紙に貼り付けられた日時を記憶している。色欄５４０は、その付箋の表示色を記憶している。枠線形状欄５４５は、その付箋の表示における枠線の形状（実線、点線、破線、波線、二重線等）を記憶している。枠線色欄５５０は、その付箋の表示における枠線の色を記憶している。枠線太さ欄５５５は、その付箋の表示における枠線の太さを記憶している。所属グループ欄５６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。選択回数欄５６５は、その付箋が選択された回数を記憶している。例えば、議題選択操作による選択回数としてもよい。接続付箋数欄５７０は、その付箋に対して接続された付箋の数を記憶している。その数の分だけ、次の接続付箋ＩＤ欄５７５と接続方向欄５８０が繰り返される。接続付箋ＩＤ欄５７５は、その付箋に対して接続された付箋の付箋ＩＤを記憶している。接続方向欄５８０は、その付箋と直前の接続付箋ＩＤ欄５７５の付箋との接続方向を記憶している。その付箋（又は、直前の接続付箋ＩＤ欄５７５の付箋）が、上流（接続元）、下流（接続先）のいずれかであることを示す情報であってもよいし、上流（又は、下流）にある付箋の付箋ＩＤであってもよい。また、無方向の接続である場合は、空白（ＮＵＬＬ）であってもよいし、接続方向欄５８０そのものがなくてもよい。内容種別欄５９０は、その付箋の内容種別（テキスト情報、手書き文字又は図形等を示すベクトルデータ、音声情報、写真等の静止画像情報、動画情報等、又はこれらの組み合わせを示す情報）を記憶している。内容欄５９５は、その付箋に書き込まれている内容を記憶している。なお、付箋が台紙に貼り付けられていない状態では、貼付位置欄５１５等は空白（ＮＵＬＬ）であってもよいし、予め定められた値（デフォルト値）としてもよい。
【００３８】
図６は、台紙情報テーブル６００のデータ構造例を示す説明図である。台紙情報テーブル６００は、台紙ＩＤ欄６１０、台紙パターン欄６１５、作成日時欄６２０、作成者欄６２５を有している。台紙ＩＤ欄６１０は、本実施の形態において、台紙を一意に識別するための情報（台紙ＩＤ）を記憶している。台紙パターン欄６１５は、台紙パターンを記憶している。例えば、白紙、表形式のパターン等がある。特に、表形式のパターンの場合は、前述したように表内のセルに付箋を貼り付けるように制御されることになる。作成日時欄６２０は、その台紙の作成日時を記憶している。作成者欄６２５は、その台紙の作成者を記憶している。
【００３９】
操作情報ＤＢ２４５は、フェーズ監視モジュール２２５、台紙操作モジュール２３０、付箋作成・操作モジュール２３５、付箋・台紙情報ＤＢ２４０と接続されている。操作情報ＤＢ２４５は、操作の履歴を記憶している。例えば、図７の例に示すログテーブル７００を記憶している。図７は、ログテーブル７００のデータ構造例を示す説明図である。ログテーブル７００は、履歴ＩＤ欄７０５、日時欄７１０、対象欄７１５、操作者欄７２０、操作欄７２５、移動欄７３０を有している。移動欄７３０は、移動元位置欄７３５、移動先位置欄７４０、距離欄７４５を有している。履歴ＩＤ欄７０５は、本実施の形態において、履歴を一意に識別するための情報（履歴ＩＤ）を記憶している。日時欄７１０は、その履歴が発生した（又は操作が行われた）日時（年、月、日、時、分、秒、秒以下、又はこれらの組み合わせであってもよい）を記憶している。対象欄７１５は、その操作の対象（付箋ＩＤ、台紙ＩＤ等）を記憶している。操作者欄７２０は、その操作を行った操作者を記憶している。操作欄７２５は、操作を記憶している。移動欄７３０は、移動操作に関する情報を記憶している。移動元位置欄７３５は、移動元位置（座標）を記憶している。移動先位置欄７４０は、移動先位置（座標）を記憶している。距離欄７４５は、距離を記憶している。距離は、直線距離であってもよいし、実際に移動した距離（例えば、ジグザグに移動した場合は、その軌跡の長さ）であってもよい。
【００４０】
表示装置２７０は、表示モジュール２７２、台紙・付箋操作モジュール２７４を有している。表示装置２７０は、主にファシリテーターによって使用されるものであって、例えば、参加者が見やすいように大画面の液晶ディスプレイ等を備えている。
表示モジュール２７２は、付箋サービス装置２００の表示情報構成モジュール２０５と接続されている。表示モジュール２７２は、付箋サービス装置２００の表示情報構成モジュール２０５による表示制御又はユーザーの操作等にしたがって表示装置に表示を行う。
台紙・付箋操作モジュール２７４は、付箋サービス装置２００の台紙操作モジュール２３０、付箋作成・操作モジュール２３５と接続されている。台紙・付箋操作モジュール２７４は、台紙、付箋に対するユーザーの操作を受け取り、操作対象が台紙であるか、付箋であるかに応じて、付箋サービス装置２００の台紙操作モジュール２３０又は付箋作成・操作モジュール２３５にその操作を送信する。
【００４１】
個人端末２８０は、表示モジュール２８２、台紙・付箋操作モジュール２８４を有している。個人端末２８０は、会合の参加者によって使用されるものであって、例えば、参加者が扱いやすいようにタブレット型の端末等である。
表示モジュール２８２は、付箋サービス装置２００の表示情報構成モジュール２０５と接続されている。表示モジュール２８２は、付箋サービス装置２００の表示情報構成モジュール２０５による表示制御又はユーザーの操作等にしたがって表示装置に表示を行う。
台紙・付箋操作モジュール２８４は、付箋サービス装置２００の台紙操作モジュール２３０、付箋作成・操作モジュール２３５と接続されている。台紙・付箋操作モジュール２８４は、台紙、付箋に対するユーザーの操作を受け取り、操作対象が台紙であるか、付箋であるかに応じて、付箋サービス装置２００の台紙操作モジュール２３０又は付箋作成・操作モジュール２３５にその操作を送信する。
【００４２】
図３は、本実施の形態を利用した付箋システムの構成例を示す説明図である。表示装置２７０は、一般的に大画面の表示装置を備えており、ファシリテーターによって操作される。この表示装置は、参加者全員が見ることができるものである。各個人端末２８０は、会合における参加者によって操作され、一般的には、各参加者が１台ずつ所持している。例えば、個人端末２８０として、タブレット型端末等が使用される。
図３（ａ１）の例では、表示装置２７０が、付箋サービス装置２００を有している。そして、表示装置２７０、個人端末２８０Ａ、個人端末２８０Ｂ、個人端末２８０Ｃは、通信回線２９９を介してそれぞれ接続されている。通信回線２９９は、無線、有線、これらの組み合わせであってもよく、例えば、通信インフラとしてのインターネット、イントラネット等であってもよい。この場合、付箋サービス装置２００は、表示装置２７０の画面に表示される台紙、付箋に対する処理を行う。そして、表示装置２７０の画面の表示を、各個人端末２８０に送信する。
【００４３】
図３（ａ２）の例では、付箋サービス装置２００、表示装置２７０、個人端末２８０Ａ、個人端末２８０Ｂ、個人端末２８０Ｃは、通信回線２９９を介してそれぞれ接続されている。この場合、表示装置２７０、各個人端末２８０が、通信回線２９９を介して、付箋サービス装置２００を利用する。付箋サービス装置２００の制御にしたがって、表示装置２７０、各個人端末２８０の画面に台紙、付箋を表示する。また、付箋サービス装置２００による機能は、クラウドサービスとして実現してもよい。
図３（ａ３）の例では、表示装置２７０と各個人端末２８０のそれぞれが、付箋サービス装置２００を有している。表示装置２７０、個人端末２８０Ａ、個人端末２８０Ｂ、個人端末２８０Ｃは、通信回線２９９を介してそれぞれ接続されている。この場合、各付箋サービス装置２００が、それぞれの付箋情報処理装置（表示装置２７０、各個人端末２８０）の画面に表示される台紙、付箋に対する処理を行う。
【００４４】
図３（ｂ）の例では、会議室３８０には、表示装置２７０、個人端末２８０Ａ、個人端末２８０Ｂ、個人端末２８０Ｃが設置されており、会合が行われる。表示装置２７０、個人端末２８０Ａ、個人端末２８０Ｂ、個人端末２８０Ｃは、通信回線２９９を介してそれぞれ接続されている。
そして、付箋サービス装置２００、会議室３８０内の機器は、通信回線３９０を介してそれぞれ接続されている。通信回線３９０は、無線、有線、これらの組み合わせであってもよく、例えば、通信インフラとしてのインターネット、イントラネット等であってもよい。また、付箋サービス装置２００による機能は、クラウドサービスとして実現してもよい。表示装置２７０が付箋サービス装置２００を利用して、表示装置２７０の画面の表示を、各個人端末２８０に送信し、各個人端末２８０の画面にそれを表示するようにしてもよい。また、表示装置２７０、各個人端末２８０のそれぞれが、付箋サービス装置２００を利用するようにしてもよい。
【００４５】
図４は、本実施の形態が使用される会議室等の例、表示装置２７０、個人端末２８０の使用例を示す説明図である。
図４（ａ）の例に示すように、会議室等内に、参加者４１１、４１２、ファシリテーター４２１が集まっている。参加者４１１は個人端末２８０Ａを利用し、参加者４１２は個人端末２８０Ｂを利用する。一般的に、端末装置（個人端末２８０Ａ等）は参加者一人に１個付与されており、図４（ｃ）の例に示す個人端末２８０のように、ノート程度の大きさ（例えば、Ａ４、Ｂ５、７〜１０インチ等）のタブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ（ノートＰＣを含む）等であってもよい。
【００４６】
図４（ａ）の例に示す表示装置２７０ｘは、プロジェクターであって、台紙及び付箋を表示する。また、表示装置２７０ｙは、電子白板であって、ファシリテーター４２１の指又はペン等の動きを検知して、付箋を台紙（表）に貼り付けること、付箋の移動、付箋の関連付け（グループ化）を行うこと等の操作を受け付けるものである。例えば、図４（ａ）の例に示すように、表示装置２７０ｙには、台紙上に付箋が表示されている。例えば、表示装置２７０ｙにペンが備えられており、そのペンが予め定められたペン置きから離れたこと（ファシリテーター４２１が操作するためにペンを持ち上げたこと）、そしてペンの先端の位置（ペン先端が表示装置２７０ｙに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、表示装置２７０ｙの表示画面全体がタッチセンサーであり、表示画面に触れられた位置、圧力を検知すればよい。また、表示装置２７０は、図４（ｂ）の例に示すような電子ボードであってもよい。電子ボードは、一般的に大画面の表示装置（少なくとも、個人端末２８０の表示装置よりも大きい）を有しており、その表示装置はタッチパネルであり、表示画面に触れられた位置、圧力を検知する。例えば、画面として、８０インチ等の大きさを備えたものであってもよい。
【００４７】
図９は、本実施の形態による処理例を示すフローチャートである。
ステップＳ９０２では、ログ抽出モジュール１１０は、対象となるログを抽出する。
ステップＳ９０４では、フェーズ判断モジュール１３０は、抽出したログからフェーズを判断する。ステップＳ９０４の詳細については、図１０〜１５を用いて後述する。
ステップＳ９０６では、フェーズ提示モジュール１５０は、ステップＳ９０４での判断結果であるフェーズを提示する。
ステップＳ９０８では、フェーズ対応モジュール１６０は、前述したようにフェーズに合わせた機能を提供する。
【００４８】
図１０は、本実施の形態による処理例を示すフローチャートである。
ステップＳ１００２では、「予め定められた期間における付箋追加枚数＞閾値Ｔ１」であるか否かを判断し、「予め定められた期間における付箋追加枚数＞閾値Ｔ１」である場合はステップＳ１００４へ進み、それ以外の場合はステップＳ１００６へ進む。「予め定められた期間」として、例えば、過去の５分間、会合開始から５分間等のような指定であってもよい。「付箋追加枚数」とは、その台紙において、新たに付箋が貼り付けられた枚数をいう。
ステップＳ１００４では、第１フェーズであるとする。時間あたりに付箋が多く発生し、アイデア出し等が行われているからである。
ステップＳ１００６では、第２フェーズであるとする。
【００４９】
図１１は、本実施の形態による処理例を示すフローチャートである。
ステップＳ１１０２では、「移動操作数に対して、付箋貼付時から予め定められた期間内の移動操作数の比率＞閾値Ｔ２」であるか否かを判断し、「移動操作数に対して、付箋貼付時から予め定められた期間内の移動操作数の比率＞閾値Ｔ２」である場合はステップＳ１１０４へ進み、それ以外の場合はステップＳ１１０６へ進む。分母となる「移動操作数」は、会合におけるその時点までの全ての移動の操作回数である。分子となる「付箋貼付時から予め定められた期間内の移動操作数」は、付箋を台紙に最初に貼り付けた時点から例えば５分間に移動した回数である。例えば、貼り付けてすぐに移動した場合が該当する。
ステップＳ１１０４では、第１フェーズであるとする。たとえ付箋の移動が多かったとしても、貼り付けられた後の予め定められた期間内であれば、「収束」のための移動ではなく、試行錯誤的な移動の場合が多いからである。
ステップＳ１１０６では、第２フェーズであるとする。
【００５０】
図１２は、本実施の形態による処理例を示すフローチャートである。
ステップＳ１２０２では、第１フェーズであるか否かを判断し、第１フェーズである場合はステップＳ１２０４へ進み、それ以外の場合は処理を終了する（ステップＳ１２９９）。
ステップＳ１２０４では、「付箋の移動距離＞閾値Ｔ３」であるか否かを判断し、「付箋の移動距離＞閾値Ｔ３」である場合はステップＳ１２０６へ進み、それ以外の場合はステップＳ１２０８へ進む。
ステップＳ１２０６では、第１フェーズとともに第２フェーズでもあるとする。なお、この場合は、第１フェーズと第２フェーズを明確に切り分ける旨のメッセージをファシリテーターに提示するようにしてもよい。
ステップＳ１２０８では、第１フェーズであるとする。
また、ステップＳ１２０４での条件を、「「付箋の移動距離（実際の移動距離）」／「付箋の移動距離（直線距離）」＞閾値」としてもよい。迷いながら移動させていることが多い場合は、第１フェーズとともに第２フェーズでもある場合が多いからである。
【００５１】
図１３は、本実施の形態による処理例を示すフローチャートである。
ステップＳ１３０２では、「個人端末２８０における未送信の付箋数＜閾値Ｔ４」であるか否かを判断し、「個人端末２８０における未送信の付箋数＜閾値Ｔ４」である場合はステップＳ１３０４へ進み、それ以外の場合はステップＳ１３０６へ進む。
ステップＳ１３０２の「個人端末２８０における未送信の付箋数＜閾値Ｔ４」は、例えば、個人端末２８０全てにおける未送信の付箋数の合計であってもよいし、個人端末２８０の未送信の付箋数の平均値、中央値、最頻値、最大枚数、最小枚数等であってもよい。
ステップＳ１３０４では、第１フェーズの終了であるとする。参加者が作成している付箋が少ないからである。なお、この場合は、第２のフェースに移行すべきである旨のメッセージをファシリテーターに提示するようにしてもよい。
ステップＳ１３０６では、第１フェーズであるとする。
【００５２】
図１４は、本実施の形態による処理例を示すフローチャートである。
ステップＳ１４０２では、「予め定められた期間内の付箋の貼付枚数＜閾値Ｔ５」であるか否かを判断し、「予め定められた期間内の付箋の貼付枚数＜閾値Ｔ５」である場合はステップＳ１４０４へ進み、それ以外の場合はステップＳ１４０８へ進む。
ステップＳ１４０４では、「その貼付枚数に対しての付箋の移動回数の比率＞閾値Ｔ６」であるか否かを判断し、「その貼付枚数に対しての付箋の移動回数の比率＞閾値Ｔ６」である場合はステップＳ１４０６へ進み、それ以外の場合はステップＳ１４０８へ進む。
ステップＳ１４０６では、第２フェーズへの移行であるとする。新しい付箋の貼り付けが少なくなり、移動の操作が多くなってきているからである。
ステップＳ１４０８では、第１フェーズであるとする。
【００５３】
図１５は、本実施の形態による処理例を示すフローチャートである。
ステップＳ１５０２では、投票が始まったか否かを判断し、始まった場合はステップＳ１５０４へ進み、それ以外の場合はステップＳ１５０６へ進む。「投票」とは、台紙上の付箋又はグループに対して、参加者による意思表示（例えば、その付箋に書かれた内容を採用すべき等）のための選択の操作である。
ステップＳ１５０４では、第２フェーズであるとする。収束の段階で行われるべき「投票」が行われたからである。
ステップＳ１５０６では、第１フェーズであるとする。
【００５４】
図１６は、本実施の形態による処理例を示すフローチャートである。複数の条件を組み合わせた例を示している。
ステップＳ１６０２では、図１０〜図１５の例に示すフローチャートの判断結果を得る。
ステップＳ１６０４では、「第１フェーズであるとする判断数＞第１フェーズではないとする判断数」であるか否かを判断し、「第１フェーズであるとする判断数＞第１フェーズではないとする判断数」である場合はステップＳ１６０６へ進み、それ以外の場合はステップＳ１６０８へ進む。
ステップＳ１６０６では、第１フェーズであるとする。
ステップＳ１６０８では、第２フェーズであるとする。
なお、ステップＳ１６０４で、全ての条件において、第１フェーズではないと判断された場合に、第２フェーズであると判断するようにしてもよい。
【００５５】
なお、本実施の形態としてのプログラムが実行されるコンピュータのハードウェア構成は、図１７に例示するように、一般的なコンピュータであり、具体的にはパーソナルコンピュータ、サーバーとなり得るコンピュータ等である。つまり、具体例として、処理部（演算部）としてＣＰＵ１７０１を用い、記憶装置としてＲＡＭ１７０２、ＲＯＭ１７０３、ＨＤ１７０４を用いている。ＨＤ１７０４として、例えばハードディスク、ＳＳＤ（Ｓｏｌｉｄ  Ｓｔａｔｅ  Ｄｒｉｖｅ）を用いてもよい。ログ抽出モジュール１１０、フェーズ判断モジュール１３０、フェーズ処理モジュール１４０、フェーズ提示モジュール１５０、フェーズ対応モジュール１６０、表示モジュール２７２、台紙・付箋操作モジュール２７４、表示モジュール２８２、台紙・付箋操作モジュール２８４、表示情報構成モジュール２０５、付箋管理モジュール２１０、台紙機能管理モジュール２１５、利用台紙管理モジュール２２０、フェーズ監視モジュール２２５、台紙操作モジュール２３０、付箋作成・操作モジュール２３５等のプログラムを実行するＣＰＵ１７０１と、そのプログラムやデータを記憶するＲＡＭ１７０２と、本コンピュータを起動するためのプログラム等が格納されているＲＯＭ１７０３と、判断条件記憶モジュール１２０、付箋・台紙情報ＤＢ２４０、操作情報ＤＢ２４５の機能を有する補助記憶装置（フラッシュメモリ等であってもよい）であるＨＤ１７０４と、キーボード、マウス、タッチスクリーン、マイク等に対する利用者の操作に基づいてデータを受け付ける受付装置１７０６と、ＣＲＴ、液晶ディスプレイ、スピーカー等の出力装置１７０５と、ネットワークインタフェースカード等の通信ネットワークと接続するための通信回線インタフェース１７０７、そして、それらをつないでデータのやりとりをするためのバス１７０８により構成されている。これらのコンピュータが複数台互いにネットワークによって接続されていてもよい。
【００５６】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１７に示すハードウェア構成は、１つの構成例を示すものであり、本実施の形態は、図１７に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１７に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００５７】
また、前述の実施の形態の説明内での比較処理において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００５８】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００５９】
１００…情報処理装置
１１０…ログ抽出モジュール
１２０…判断条件記憶モジュール
１３０…フェーズ判断モジュール
１４０…フェーズ処理モジュール
１５０…フェーズ提示モジュール
１６０…フェーズ対応モジュール
２００…付箋サービス装置
２０５…表示情報構成モジュール
２１０…付箋管理モジュール
２１５…台紙機能管理モジュール
２２０…利用台紙管理モジュール
２２５…フェーズ監視モジュール
２３０…台紙操作モジュール
２３５…付箋作成・操作モジュール
２４０…付箋・台紙情報ＤＢ
２４５…操作情報ＤＢ
２７０…表示装置
２７２…表示モジュール
２７４…台紙・付箋操作モジュール
２８０…個人端末
２８２…表示モジュール
２８４…台紙・付箋操作モジュール
２９９…通信回線
３８０…会議室
３９０…通信回線
【図１】
2017146867.tif 000003
【図２】
2017146867.tif 000004
【図３】
2017146867.tif 000005
【図４】
2017146867.tif 000006
【図５】
2017146867.tif 000007
【図６】
2017146867.tif 000008
【図７】
2017146867.tif 000009
【図８】
2017146867.tif 000010
【図９】
2017146867.tif 000011
【図１０】
2017146867.tif 000012
【図１１】
2017146867.tif 000013
【図１２】
2017146867.tif 000014
【図１３】
2017146867.tif 000015
【図１４】
2017146867.tif 000016
【図１５】
2017146867.tif 000017
【図１６】
2017146867.tif 000018
【図１７】
2017146867.tif 000019